(57)【要約】【課題】ディスプレイ台上に表示した冷温パターンの表示を簡単な操作で切り替えることができ、コストの低減を図る。【解決手段】  冷温パターンを有した帯体からなる冷温パターン表示体１２をディスプレイ台７にフリーな状態で架け渡して装着する。冷温情報表示体１２の前方には、光透過板の一方の面に価格パターンを施した価格表示体１４を設ける。これにより自動販売機の前面側から価格表示体１４に表示された価格パターンとともに当該価格表示体を介して冷温パターン表示体１２の冷温パターンとを目視することができる。冷温パターンの切り替えはディスプレイ室を開放した後、冷温パタンーン表示体を手動で周回移動させる。冷温パターン表示体はディスプレイ台にフリーな状態で掛け渡されているので、手動により容易に周回させることができる。【選択図】      図２
2005293458.tif 000002
【特許請求の範囲】
【請求項１】
庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、
光透過材料からなり、ディスプレイ台に載置された一列分の商品見本に対応した冷温パターンがそれぞれ表示された無端の冷温パターン表示体を設け、
前記ディスプレイ台に載置された一列分の商品見本に対応した冷温パターンがディスプレイ台の前面に表示されるように前記冷温パターン表示体を前記ディスプレイ台にその左右両端で折り返して架け渡し、ディスプレイ台の前面に露出した冷温パターン表示体を手動操作することを特徴とする自動販売機の冷温表示装置。
【請求項２】
ディスプレイ台の前面に表示された冷温表示パターンに重ねてディスプレイ台に載置された一列分の商品見本に対応した価格が表示された価格表示体を有することを特徴とする請求項１に記載の自動販売機の冷温表示装置。
【請求項３】
前記価格表示体は冷温パターン表示体の幅よりも小さく形成したことを特徴とする請求項２に記載の自動販売機の冷温表示装置。
【請求項４】
前記価格表示体は冷温パターン表示体の幅と略同一に形成され、価格表示部を除く一部に開口を有することを特徴とする請求項２に記載の自動販売機の冷温表示装置。
【発明の詳細な説明】
【技術分野】
【０００１】
この発明は、自動販売機における本体キャビネットの庫内に缶，壜，ペットボトルなどの商品を冷蔵，温蔵状態に区分して保存し、外扉のディスプレイ室内に設置したディスプレイ台上に複数の商品見本を左右に並べて展示し、該商品見本に対応して商品の冷温状態を表示する冷温表示装置に関するものである。
【背景技術】
【０００２】
この種の自動販売機の冷温表示装置として、庫内商品の冷蔵，温蔵状態に合わせて自動的に表示を行うものも知られている（例えば、特許文献１）。この従来装置（従来例１）においては、ディスプレイ台の内部に組み込まれた左右一対の巻取ドラムに帯状の冷温パターン表示体が巻きつけられている。前記冷温パターン表示体は透光性のフィルムからなり、長手方向に冷温パターンが区分して表示されるとともに該冷温パターンがディスプレイ台の表示窓に臨むように配置されている。そして、一対の巻取ドラムにはモータが連結され、このモータのコントローラが庫内の冷温を切り替える冷温販売モード設定スイッチからの販売モード指令（又は、リモートコントローラからの販売モード指令）に基づいてモータを回転制御し、冷温パターン表示体による冷温の表示を冷温販売モードに合わせて自動的に切り替える。
【０００３】
さらに、ディスプレイ台上に左右方向に並べて載置された商品見本ごとに冷温状態の表示を行うようにしたものも知られている（例えば、特許文献２）。この従来装置（従来例２）においては、無端状の透明フィルムからなる表示体の周方向の複数箇所に冷温パターンを表示し、この表示体をホルダに支持された左右一対のローラ（又は、四角形の四隅の位置に配置された支持ピン）に架け渡し、ホルダの前側から冷温パターンの一方が表示されるようにしたものであり、冷温パターンの切り替えは表示体を手動で操作するものである。
【特許文献１】特開平６−１０３４４８号公報
【特許文献２】特開２００１−１２６１２８号公報
【発明の開示】
【発明が解決しようとする課題】
【０００４】
前述した従来例１においては、庫内の冷温を切り替える冷温販売モード設定スイッチからの販売モード指令（又は、リモートコントローラからの販売モード指令）に基づいてモータを回転制御し、冷温パターン表示体による冷温の表示を冷温販売モードに合わせて自動的に切り替える点で作業性の向上を図ることができる。しかしながら、冷温表示の切り替えは一般的に季節の変わり目などに行われることから、約半年毎に行われる。このため、従来例１においては、帯状の冷温パターン表示体は、約半年の期間、巻取ドラムに巻きつけられており、写真フィルムに見られるように、丸まろうとしてしまう。この状態は巻取ドラムの半径が小さいほど強く現れるので、巻取ドラムの半径を大きくしようとすると、巻取ドラムに巻きつけられた冷温パターン表示体が嵩張ってしまう。このため、巻取ドラムが組み込まれるディスプレイ台の寸法、それも奥行き方向の寸法が大きくなり、薄形化が要求される自動販売機に適用することが困難である。そして、約半年毎に行われる冷温表示の切り替えのためにのみモータを設けねばならないことからコストアップしてしまうという問題を有する。
【０００５】
また、前述した従来例２においては、従来例１のように表示体の丸まりやモータの問題を解決できるものである。しかしながら、ディスプレイ台に載置された数十もの商品見本ごとに表示体が設けられているので、それぞれの表示体を手動操作して切り替えを行わねばならないこと、また、その手動操作の際には外扉を開放して外扉の裏面側から表示体を操作せねばならないことから、外扉の前方に必要とする冷温パターンが正確（左右にずれがないよう）に位置しているかを外扉の前面に回って確認しなければならないことから煩雑である。また、外扉の裏面に回ると外扉の前方から見た場合と左右が逆になることから、手動操作しようとする表示体の位置を一瞬間違えたり、戸惑ったりするおそれがある。
さらに、昨今の自動販売機においては多種類の商品を販売できることが望まれており、そのため商品見本の数も多くなり、ディスプレイ室内に上下方向に複数段のディスプレイ台を設置する傾向にある。したがって、前述した従来例１においてはますますコスト高となり、従来例２においてはそれぞれの表示体を手動操作することや冷温パターンの位置確認がますます煩雑となる。
【０００６】
この発明は、上記に鑑みてなされたものであって、ディスプレイ台上に表示した冷温パターンの表示を簡単な操作で切り替えることができ、コストを低減することができる自動販売機の冷温表示装置を提供することを目的とする。
【課題を解決するための手段】
【０００７】
上記の目的を達成するために、本発明の請求項１に係る自動販売機の冷温表示装置は、庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、光透過材料からなり、ディスプレイ台に載置された一列分の商品見本に対応した冷温パターンがそれぞれ表示された無端の冷温パターン表示体を設け、前記ディスプレイ台に載置された一列分の商品見本に対応した冷温パターンがディスプレイ台の前面に表示されるように前記冷温パターン表示体を前記ディスプレイ台にその左右両端で折り返して架け渡し、ディスプレイ台の前面に露出した冷温パターン表示体を手動操作することを特徴とする。
また、本発明の請求項２に係る自動販売機の冷温表示装置は、上記請求項１において、ディスプレイ台の前面に表示された冷温表示パターンに重ねてディスプレイ台に載置された一列分の商品見本に対応した価格が表示された価格表示体を有することを特徴とする。
【０００８】
また、本発明の請求項３に係る自動販売機の冷温表示装置は、上記請求項２において、前記価格表示体は冷温パターン表示体の幅よりも小さく形成したことを特徴とする。
【０００９】
また、本発明の請求項４に係る自動販売機の冷温表示装置は、上記請求項２において、前記価格表示体は冷温パターン表示体の幅と略同一に形成され、価格表示部を除く一部に開口を有することを特徴とする。
【発明の効果】
【００１０】
本発明に係る自動販売機の冷温表示装置では、ディスプレイ台に載置された一列分の商品見本に対応した冷温パターンがディスプレイ台の前面に表示されるように冷温パターン表示体をディスプレイ台にフリーな状態で架け渡しておき、ディスプレイ台の前面に露出した冷温パターン表示体を手動操作することによってディスプレイ台に載置された一列分の商品見本に対応した冷温パターを一括して切り替えることができ、また、冷温パターン表示体はディスプレイ台を利用してそのディスプレイ台にフリー状態で架け渡して保持しておくのみでよいことから部品点数を削減できるのでコストの低減を図ることができる。
【発明を実施するための最良の形態】
【００１１】
以下に添付図面を参照して、本発明に係る自動販売機の冷温表示装置の実施の形態を説明する。図１は本発明の実施対象となる冷温表示装置を備える自動販売機の斜視図である。
【００１２】
図１に示すように、本発明の実施対象となる自動販売機は、前面が開放した断熱筐体として形成された本体キャビネット１と、本体キャビネット１の前面に開閉可能に支持された外扉２とからなる。本体キャビネット１の商品収納庫の前面は、開閉可能な断熱内扉３によって閉塞されている。本体キャビネット１の庫内は、良く知られているように、断熱仕切壁により左右方向に複数の商品収納室に区分され、各商品収納室は、例えば、缶、瓶、ペットボトルなどの商品を収納した商品ラックが収設され、また、各商品収納室の下部には、当該各商品収納室を冷却もしくは加熱して商品ラックに収納した商品を冷蔵・温蔵状態に保存する冷却／加熱ユニットが配設されている。
【００１３】
外扉２の前面の上部域は透明板４で覆われ、この透明板４と外扉２に開閉可能に支持された中扉６との間の空間がディスプレイ室５として形成されている。前記中扉６の前面には、本体キャビネット１の庫内に収納した商品に対応した複数（本実施の形態では１２個）の商品見本８を左右に一列に並べて載置したディスプレイ台７が上下方向に３段取付けられている。前記透明板４には、各ディスプレイ台７と対峙する位置に商品選択ボタンユニット９が設けられ、商品選択ボタンユニット９は、ディスプレイ台７に載置された各商品見本８に対応して左右に一列に並べて設けた商品選択ボタン９ａを有している（図３参照）。なお、商品選択ボタンユニット９の下側のディスプレイ室５には広告部１０として形成されている。さらに外扉２の前面には、硬貨投入部１１ａの投入口、紙幣投入部１１ｂの投入口、釣銭返却部１１ｃの返却口、商品取出部１１ｄの取出口に加え、不図示の返却レバーおよびロック付ハンドルなどが設けられている。
【００１４】
図２はディスプレイ台を示す分解斜視図である。ディスプレイ台７は、商品見本８を載置する載置台７１と、この載置台７１が上方から被さるように組付けられる固定部材７２とからなる。前記載置台７１は上面部７１１とこの上面部７１１の両端から下方に延在された左右側壁７１２，７１２と前面の左右両端に形成したカバー部材７１３とからなり、前記上面部７１１には不図示の係合穴が左右方向に複数（本実施の形態では１２個）並設され、それぞれの係止穴に商品見本８が嵌合保持される。また、前記載置台７１の左右側壁７１２，７１２にはそれぞれ内側に向かって突出するピン７３が取付けられている。
前記載置台７１とともにディスプレイ台７を構成する固定部材７２は、前面部７２１、上面部７２２および後面部７２３を有して下方が開放する断面略コ字形に形成されるとともに左右両端に上面部７２２と後面部７２３に接続された左右側壁７２４，７２４を有しており、このように固定部材７２は下方が開放する横長の箱形に形成されている。この固定部材７２の前面部７２１には各商品見本８に対応して複数（本実施の形態では１２個）の透光穴７４が設けられ、上面部７２２は略全域にわたって開口しており、当該開口の中央２箇所に補強のための桟７２２ａ，７２２ａが形成されている。また、固定部材７２の左右側壁７２４，７２４には上面部７２２に向けて一部が開放した異形溝７５が形成されている。この異形溝７５の開放部は載置台７１の左右側壁７１２，７１２に取付けられたピン７３が通過可能な大きさに形成されており、前記固定部材７２の上方から固定部材７２に被せるように載置台７１を組付ける際、異形溝７３の開放部を通してピン７３が異形溝７５に挿入される。
【００１５】
前記固定部材７２の後面部７２３には、図３に示すように、切り起こしにより形成した複数（本実施の形態では左右２個）の係止片７２３ａが形成され、この係止片７２３ａは中扉６に設けた穴（不図示）に挿通係止される。これにより、固定部材７２が中扉６に取付けられる。また、後面部７２３の内壁側には２段に折り曲げられ、ディスプレイ台７の左右方向に延在したガイド部７２３ｂが設けられている。そして、図３に示すように、固定部材７２の前面部７２１の下端は前方側に折り曲げて形成したガイド部７２１ａが設けられている。また、図２および図３に示すように、前面部７２１、上面部７２２および後面部７２３に囲まれたディスプレイ台７の箱内には、左右方向に沿って蛍光灯１３（図では一点鎖線で示す）が設けてある。蛍光灯１３は、ディスプレイ台７の固定部材７２に固定した、左右一対の各ソケット（図示せず）に装着している。
【００１６】
ディスプレイ台７の箱内には、商品見本８の冷温状態を表す冷温パターン表示体１２が収設されている。この冷温パターン表示体１２は、図４の斜視図に示すように、透光性フィルムからなる無端の帯状体として形成されている。冷温パターン表示体１２の外面における周方向に沿った上方域には、自動販売機の商品収納室（図示せず）に収納した商品の冷蔵・温蔵状態を表す冷温パターン１２ａが施してある。本実施の形態において、商品の冷蔵状態を表す冷温パターン１２ａは、１パターンの単位として白抜きの文字（例えば「つめた〜い」）の背景に寒色の背景色（例えば青色）が印刷している。また、商品の温蔵状態を表す冷温パターン１２ａは、１パターンの単位として白抜きの文字（例えば「あったか〜い」）の背景に暖色の背景色（例えば赤色）が印刷してある。なお、本実施の形態では、冷温状態を表す複数の冷温パターン１２ａと、温蔵状態を表す複数の冷温パターン１２ａとが図４中に二点鎖線で示す境目１２ｂを境にして無端状の帯状体の周方向の略半周分ずつ施してある。
【００１７】
図２および図３に示すように、冷温パターン表示体１２は、ディスプレイ台７を構成する固定部材７２の前面部７２１の前側および後面部７２３の前側を通るように固定部材７２の左右端で折り返して掛け渡されている。この冷温パターン表示体１２は固定部材７２の下部側から固定部材７２に装着される。この場合、固定部材７２の前面部７２の両端と左右側壁７２４，７２４との間には隙間７２１ｂが形成されており、その隙間７２１ｂを通して冷温パターン表示体１２は固定部材７２に装着され、その装着状態において冷温パターン表示体１２の前方側が固定部材７２の前面部７２１の下端に設けたガイド部７２１ａにより支持され、また、冷温パターン表示体１２の後方側が固定部材７２の上面部７２２の下面と後面部７２３に設けたガイド部７２３ｂとの間に支持される。前述したとおり、冷温パターン表示体１２は固定部材７２の左右端で折り返して配設されるため、蛍光灯１３のソケットは前記隙間７２１ｂよりも内側に取付けられている。また、固定部材７２の前面部７２１の両端と左右側壁７２４，７２４との間に形成された隙間７２１ｂは、固定部材７２に載置台７１を組付けた際に載置台７１のカバー部材７１３によって覆われ、その隙間７２１ｂが自動販売機の前面から見えないようにされている。
前述のように固定部材７２に装着された冷温パターン表示体１２において、固定部材７２の前面部７２１ａの前側を通る略半周分の冷温パターン表示体１２の各冷温パターン１２ａは、前面部７２１に設けた各透光穴７４の位置に対応する。これにより、冷温パターン表示体１２の冷温パターン１２ａは載置台７１に載置した各商品見本８に対応して、各商品見本８の商品の冷蔵・温蔵状態を表すことになる。この際、ディスプレイ台７の箱内にある蛍光灯１３の光が透光穴７４を介して透光性フィルムからなる冷温パターン表示体１２を透過することで冷温パターン１２ａの文字および背景色が明るく表示される。なお、蛍光灯１３の光は固定部材７２の上面部７２２の開口および載置台７１１の係合穴を通して商品見本８の内部に導入され、光透過材からなる商品見本８を内側から照明して商品見本８を内側から発光させる。
【００１８】
なお、上述したように、冷温パターン表示体１２の冷温パターン１２ａは、冷温状態を表す冷温パターン１２ａと、温蔵状態を表す冷温パターン１２ａとが無端状とした帯体の周方向の略半分ずつに施してある。このため、前面部７２１の前側を通る略半周分の冷温パターン表示体１２は、各商品見本８に対応する全て（１２個）が冷蔵状態の冷温パターン１２ａが位置する形態と、全て（１２個）が温蔵状態の冷温パターン１２ａが位置する形態と、前面部７２１の前側に冷蔵状態の冷温パターン１２ａと温蔵状態の冷温パターン１２ａとの境目１２ｂの１つが位置して一側が冷蔵状態の冷温パターン１２ａで他側が温蔵状態の冷温パターン１２ａとなる形態とを得ることができる。
【００１９】
さらに、ディスプレイ台７には、商品の価格情報を表示する価格表示体１４が設けられている。価格表示体１４は、図５の正面図で示すように、固定部材７２の前面部７２１の左右方向に沿うように横長で、冷温パターン表示体１２の幅に略一致する幅の短冊状に形成された光透過板からなり、その前面の下方域には商品の価格情報を表す価格パターン１４ａ（例えば「￥１２０」の文字）が印刷してある。この価格パターン１４ａは、その左右方向にディスプレイ台７に載置した商品見本８に対応するように複数（本実施の形態では１２個）設けてある。なお、図５に示すように、本実施の形態での価格表示体１４の前面には、価格パターン１４ａの「￥１２０」の文字の左右両側に縦線からなる区画パターン１４ｂが印刷されている。この区画パターン１４ｂは、価格表示体１４をなす光透過板の面を左右複数（本実施の形態では１２個）に区画する。さらに、区画パターン１４ｂで囲まれて価格パターン１４ａを有する透明領域は、ディスプレイ台７の前面部７２１に設けた各透光穴７４に重なるように形成されている。また、価格表示体１４には開口部１４ｃが形成されており、この開口部１４ｃは後述するように冷温パターン表示体１２を手動で回動させる際に利用されるものである。
【００２０】
前記価格表示体１４は、図３に示すように、ディスプレイ台７における固定部材７２の前面部７２１のガイド部７２１ａにその下端を挿入することにより、固定部材７２の前面部７２１に沿うように装着されている。そして、価格表示体１４は、その後面が冷温パターン表示体１２の前面に重なり、前面部７２１の前側にある当該冷温パターン表示体１２を覆うように装着されている。そして、価格表示体１４の区画パターン１４ｂにより囲まれた透明領域が前面部７２１の各透光穴７４に重ねて配置されることにより、価格表示体１４は各透光穴７４の位置に対応した冷温パターン表示体１２の冷温パターン１２ａを透過するとともに、その冷温パターン１２ａの下位置に価格パターン１４ａを表示する。
【００２１】
次に、前記固定部材７２の左右側壁７２４，７２４に形成された異形溝７５の形状を図６に示す。図６は固定部材７２の右側面図であり、固定部材の右側壁７２４には、上面部７２２に向けて一部が開放した異形溝７５が形成されている。ここで、異形溝７５は、載置台７１の左右側壁７１２に取付けたピン７３を回転可能に軸支する前半域の円弧状溝部７５ａと、該円弧状溝部７５ａに連ねて後半域に形成したスライド溝部７５ｂと、前記円弧状溝部７５ａとスライド溝部７５ｂとの中間位置から固定部材７２の上面部７２１との間に切欠き開口したピン７３の挿脱溝部７５ｃとを組合せた形状になる。前記挿脱溝部７５ｃの上端は固定部材７２の上面部７２１に切り込みを入れて下方に折り曲げた保護片７２５により開口されおり、当該開口を通してピン７３が挿脱される。前記保護片７２５は固定部材７２の左右端から折り返して配設された冷温パターン表示体１２の外側に位置しており、異形溝７５の挿脱溝部７５ｃを介してピン７３を挿脱する際、当該ピン７３が冷温パターン表示体１２に接触して冷温パターン表示体１２を傷付けたり、切断してしまうのを防止する。
【００２２】
次に、図２に示すディスプレイ台７の自動販売機のディスプレイ室５（図１参照）への取付けについて説明する。まず、固定部材７２に冷温パターン表示体１２、価格表示体１４及び蛍光灯１３を装着した後、図３に示すように、固定部材７２の後面部７２３に形成された係止片７２３ａを中扉６に設けた穴（不図示）に挿入して固定部材７２を中扉６に係止する。そして、中扉６に固定された固定部材７２に載置台７１を次のように装着する。すなわち、載置台７１の左右側壁７１２に設けたピン７３が固定部材７２の左右側壁７２４に形成した異形溝７５の挿脱溝部７５ｃに対峙するように載置台７１を固定部材７２の上方から被せる。そして、載置台７１の左右側壁７１２に設けたピン７３を当該挿脱溝部７５ｃを通して異形溝７５に挿入し、前記ピン７３が異形溝７５のスライド溝部７５ｂに係合するように載置台７１を後方に向けてスライドさせる。前記ピン７３が固定部材７２異形溝７５のスライド溝部７５ｂに係合するとピン７３が挿脱溝部７５ｃから抜け出るのが阻止され、この状態で載置台７１が固定部材７２に固定されてディスプレイ台７が形成される。なお、載置台７１には予め商品見本８が載置されていてもよく、また、後述する清掃作業を行う場合のように載置台７１を前方にスライドさせて前傾姿勢に傾倒させて商品見本８を取付けてもよいものである。
【００２３】
次に、前述したように中扉６に固定された固定部材７２に載置台７１を組付けて形成されたディスプレイ台７における冷温パターンの切り替えについて説明する。冷温パターンの切り替えは、自動販売機の外扉２を開放した後、外扉２に閉扉状態にロックされた中扉６を開放してディスプレイ台７の前面を露出させる。そして、ディスプレイ台７に装着された価格表示体１４の開口部１４ｃ（図５参照）に指を当て、当該開口部１４ｃを介して冷温パターン表示体１２を左右方向に周回させる。ここで、冷温パターン表示体１２は、図３に示すように、固定部材７２のガイド部７２１ａおよびガイド部７２３ｂに保持されてフリーな状態にあるため、価格表示体１４の開口部１４ｃを介して指により容易に周回させることができる。このように、指で冷温パターン表示体１２を周回させることにより冷温パターン表示体１２の冷温パターン１２ａが周回送り方向に移動して商品の商品見本８に対応した冷温パターン表示体１２の冷温パターン１２ａが切り替えられる。なお、冷温パターン表示体１２はフリーな状態で固定部材７２に装着されているが、冷温パターン表示体１２が比較的長い帯状であることから振動などにより冷温パターン表示体１２が周回することはない。
【００２４】
次に、ディスプレイ台７の背後の清掃や載置台７１に載置された商品見本８を交換するために載置台７１を前傾姿勢に傾倒させる操作について図７を用いて説明する。図７は載置台７１を前傾姿勢に傾倒させた状態を示すものであり、通常では商品見本８が直立するように載置台７１は固定部材７２の上面に装着され、この状態では、ピン７３が異形溝７５の後半域に形成したスライド溝部７５ｂに係合している。清掃などのために載置台７１を前傾姿勢に傾倒させるためには、まず、載置台７１を前方にスライドさせてピン７３を異形溝７５の前半域に形成した円弧状溝部７５ａに移動させる。ピン７３が異形溝７５の円弧状溝部７５ａに到達すると載置台７１の前方へのスライドが阻止されるので、その状態でピン７３を中心として載置台７１を前方に回動させる。前記載置台７１の前面側の左右両端に設けたカバー部材７１３の下端が固定部材７２の前面部７２１に当接するまで載置台７１を回動させると載置台７１が前傾姿勢に傾倒した図７に示す状態に保持される。このように載置台７１を前傾させることにより商品見本８の背後が開放されるので清掃作業を容易に行うことができる。前記載置台７１のカバー部材７１３については、図２に示したところの、固定部材７２の前面部７２の両端と左右側壁７２４，７２４との間に形成された隙間７２１ｂを覆う機能を有するものであり、したがってカバー部材７１３は隙間７２１ｂを覆う機能と載置台７１を前傾姿勢に保持する機能とを兼ね備えるものである。前述したとおり載置台７１を前傾させた状態では載置台７１の上面部７１２が前方を向くことから商品見本８の載置台７１への装着や取り外しが容易となり、特に最上段のディスプレイ台７に対する商品見本８の交換が容易となる。なお、前傾した載置台７１を元の状態に戻すには前述した載置台７１の操作と逆の手順で載置台７１を戻せばよい。
【００２５】
なお、前述した実施の形態では価格表示体１４が冷温パターン表示体１２の幅に略一致する幅に形成されるとともに１個の開口部１４ｃを有するものとして説明したが、前記開口部１４ｃを複数個設けることもでき、また、価格表示体１４の前面に開口部１４ｃを設けた場合に見栄えが悪くなる場合には価格表示体１４の幅を冷温パターン表示体１２の幅の略半分とし、冷温パターン表示体１２の上半分が露出するようにすることもできる。
【００２６】
ところで、前述した実施の形態では、冷温パターン表示体１２の前方側に価格表示体１４を配置したものについて説明したが、冷温パターン表示体１２と価格表示体１４とを前後逆に配置することもでき、その実施の形態を以下に説明する。
図８は冷温パターン表示体１２の背面に価格表示体１４を配置した実施の形態を示す斜視図である。図８に示すように、冷温パターン表示体１２には、それぞれの冷温パターン１２ａ下方位置に透過部１２ｃを設けている。価格表示体１４は冷温パターン表示体１２の背後に配置して固定部材７２（図３参照）に装着する。このように、冷温パターン表示体１２の背後に配置された価格表示体１４の価格パターン１４ａ（図５参照）は冷温パターン表示体１２の透過部１２ｃを通して前方に表示される。
なお、前述した実施の形態では、冷温パターン表示体１２を、図３に示すように、固定部材７２のガイド部７２１ａおよびガイド部７２３ｂに保持されてフリーな状態におくものについて説明したが、固定部材の四隅に冷温パターン表示体が掛け渡されるローラを配置し、その４つのローラの少なくとも１つを歯付きローラとし、当該歯に係合する穴を冷温パターン表示体に形成して冷温パターン表示体を位置決めすることもできる。
【図面の簡単な説明】
【００２７】
【図１】本実施の形態における商品表示装置を備える自動販売機の斜視図である。
【図２】ディスプレイ台を示す分解斜視図である。
【図３】ディスプレイ台の側面断面を示す拡大図である。
【図４】冷温パターン表示体を示す斜視図である。
【図５】価格表示体を示す正面図である。
【図６】ディスプレイ台を構成する固定部材の右側面図である。
【図７】ディスプレイ台における載置台を前傾姿勢に傾倒させた状態を示す右側図である。
【図８】他の実施の形態を示す冷温パターン表示体の斜視図である。
【符号の説明】
【００２８】
７      ディスプレイ台
８      商品見本
１２      冷温パターン表示体
１２ａ    冷温パターン
１２ｂ    境目
１４    価格表示体
１４ａ    価格パターン
１４ｃ    開口部
７１    載置台
７２    固定部材
７３    ピン
７４    透光穴
７５    異形溝
７５ｃ    保護部材
７１３    カバー部材
【図１】
2005293458.tif 000003
【図２】
2005293458.tif 000004
【図３】
2005293458.tif 000005
【図４】
2005293458.tif 000006
【図５】
2005293458.tif 000007
【図６】
2005293458.tif 000008
【図７】
2005293458.tif 000009
【図８】
2005293458.tif 000010